(57)【特許請求の範囲】
【請求項１】
バックオフタイマーが実行されているとき、無線通信システムのコアネットワークについてエマージェンシＰＤＮ接続を処理する方法であって、
モバイル装置がアイドルモードに入ると、第１タイマー値を有するモバイル到達可能タイマーをスタートするステップと、
前記エマージェンシＰＤＮ接続を受け付けるステップと、
前記モバイル装置が前記エマージェンシＰＤＮ接続を確立するため接続モードに入ると、前記モバイル到達可能タイマーを停止するステップと、
前記エマージェンシＰＤＮ接続が切断され、前記バックオフタイマーの残り時間が定期的エリア更新タイマーより長いとき、前記モバイル到達可能タイマーを第２タイマー値にリセットするステップと、
前記エマージェンシＰＤＮ接続が切断されると、前記第２タイマー値に従って前記モバイル到達可能タイマーを再スタートするステップと、
を有する方法。
【請求項２】
前記第２タイマー値は、前記バックオフタイマーの残り時間より大きい、請求項１記載の方法。
【請求項３】
前記モバイル装置は、通常アタッチする、請求項１記載の方法。
【請求項４】
無線通信システムのコアネットワークについてバックオフタイマーが実行されているとき、エマージェンシＰＤＮ接続を処理する方法であって、
モバイル装置がアイドルモードに入ると、モバイル到達可能タイマーをスタートするステップと、
前記エマージェンシＰＤＮ接続を受け付けるステップと、
前記モバイル装置が前記エマージェンシＰＤＮ接続を確立するため接続モードに入ると、前記モバイル到達可能タイマー又はインプリシットデタッチタイマーを停止しないステップと、
前記エマージェンシＰＤＮ接続が存在する場合、前記モバイル装置をローカルに切断しないステップと、
を有する方法。
【請求項５】
前記モバイル装置は、通常アタッチする、請求項４記載の方法。
【請求項６】
前記バックオフタイマーを前記モバイル装置に割り当てるとき、バックオフインジケータをアクティブとして設定し、前記バックオフタイマーが期限切れとなり、前記モバイル装置が前記コアネットワークにコンタクトすると、前記バックオフインジケータを非アクティブとして設定するステップをさらに有する、請求項４記載の方法。
【請求項７】
無線通信システムのコアネットワークについてバックオフタイマーが実行されているとき、エマージェンシＰＤＮ接続を処理する方法であって、
モバイル装置がアイドルモードに入ると、モバイル到達可能タイマーをスタートするステップと、
前記エマージェンシＰＤＮ接続を受け付けるステップと、
前記モバイル装置が前記エマージェンシＰＤＮ接続を確立するため接続モードに入ると、前記モバイル到達可能タイマーを停止するステップと、
前記モバイル到達可能タイマーと定期的エリア更新タイマーとに従って前記モバイル到達可能タイマーをリセットするか判断するステップと、
を有し、
前記モバイル到達可能タイマーと定期的エリア更新タイマーとに従って前記モバイル到達可能タイマーをリセットするか判断するステップは、（Ｔ１−４）の値＞Ｔの値、かつ（（Ｔ１−４）−Ｔ）の値＞前記定期的エリア更新タイマーであるとき、前記モバイル到達可能タイマーを（Ｔ１−Ｔ）の値によりリセットすることを含み、Ｔ１は前記モバイル到達可能タイマーの残り時間を表し、Ｔは前記エマージェンシＰＤＮ接続による経過時間を表す方法。
【請求項８】
前記モバイル到達可能タイマーと定期的エリア更新タイマーとに従って前記モバイル到達可能タイマーをリセットするか判断するステップは、（Ｔ１−４）の値がＴの値以下であるとき、前記モバイル到達可能タイマーをリセットしないことを含み、Ｔ１は前記モバイル到達可能タイマーの残り時間を表し、Ｔは前記エマージェンシＰＤＮ接続による経過時間を表す、請求項７記載の方法。
【請求項９】
前記モバイル装置は、通常アタッチする、請求項７記載の方法。
【請求項１０】
無線通信システムのモバイル装置についてバックオフタイマーが実行されているとき、エマージェンシＰＤＮ接続を処理する方法であって、
前記ＭＭバックオフタイマーが実行されているとき、前記エマージェンシＰＤＮ接続を切断するステップと、
前記モバイル装置が前記エマージェンシＰＤＮ接続を切断するときに前記バックオフタイマーの残り時間が定期的エリア更新タイマーより大きい場合、ＰＤＮ切断リクエストメッセージ又は非アクティブ化ベアラ受付メッセージにより前記バックオフタイマーの残り時間を送信するステップと、
を有し、
ネットワークは、前記ＭＭバックオフタイマーの受信した残り時間よりやや大きな新たな値にモバイル到達可能タイマーをリセットする方法。
【請求項１１】
無線通信システムのコアネットワークについてバックオフタイマーが実行されているとき、エマージェンシＰＤＮ接続を処理する方法であって、
定期的エリア更新タイマーとインプリシットデタッチタイマーとの合計に従って、モバイル到達可能タイマーと前記インプリシットデタッチタイマーとの少なくとも１つを設定するステップと、
前記エマージェンシＰＤＮ接続が切断されると、前記モバイル到達可能タイマーと前記インプリシットデタッチタイマーとの少なくとも１つをスタートするステップと、
を有し、
前記定期的エリア更新タイマーとインプリシットデタッチタイマーとの合計に従って、モバイル到達可能タイマーと前記インプリシットデタッチタイマーとの少なくとも１つを設定するステップは、（Ｔ２−Ｔ）の値が前記定期的エリア更新タイマーと前記インプリシットデタッチタイマーとの合計より大きいとき、前記モバイル到達可能タイマーと前記インプリシットデタッチタイマーとの合計を（Ｔ２−Ｔ）より大きくなるよう設定することを含み、Ｔ２は前記モバイル到達可能タイマーと前記インプリシットデタッチタイマーとの合計の残り時間を表し、Ｔは前記エマージェンシＰＤＮ接続による経過時間を表す方法。
【請求項１２】
前記定期的エリア更新タイマーとインプリシットデタッチタイマーとの合計に従って、モバイル到達可能タイマーと前記インプリシットデタッチタイマーとの少なくとも１つを設定するステップは、前記エマージェンシＰＤＮ接続が切断された後に前記モバイル装置のＮＡＳシグナリング接続がリリースされるときであって、かつ前記バックオフタイマーの残り時間が前記定期的エリア更新タイマーと前記インプリシットデタッチタイマーとの合計より大きいとき、前記モバイル到達可能タイマーと前記インプリシットデタッチタイマーとの合計を前記バックオフタイマーの残り時間より大きくなるよう設定することを含む、請求項１１記載の方法。
【請求項１３】
前記定期的エリア更新タイマーとインプリシットデタッチタイマーとの合計に従って、モバイル到達可能タイマーと前記インプリシットデタッチタイマーとの少なくとも１つを設定するステップは、Ｔ２の値＞Ｔの値であって、かつ（Ｔ２−Ｔ）の値＞前記定期的エリア更新タイマーと前記インプリシットデタッチタイマーとの合計であるとき、前記モバイル到達可能タイマーと前記インプリシットデタッチタイマーとの合計を（Ｔ２−Ｔ）の値より大きく設定することを含み、Ｔ２は前記残りのバックオフタイマーのバックオフタイマー値を表し、Ｔは前記エマージェンシＰＤＮ接続による経過時間を表す、請求項１１記載の方法。
【請求項１４】
前記モバイル装置は、通常アタッチする、請求項１１記載の方法。
【発明の詳細な説明】
【技術分野】
【０００１】
本出願は、無線通信システム及び関連する通信装置において利用される方法及び関連する通信装置に関し、より詳細には無線通信システムにおけるエマージェンシパケットデータネットワーク接続のためのタイマー設定方法に関する。
【背景技術】
【０００２】
３ＧＰＰ  Ｒｅｌ−８規格及び／又は３ＧＰＰ（３ｒｄ  Ｇｅｎｅｒａｔｉｏｎ  Ｐａｒｔｎｅｒｓｈｉｐ  Ｐｒｏｊｅｃｔ）  Ｒｅｌ−９規格をサポートするＬＴＥ（Ｌｏｎｇ  Ｔｅｒｍ  Ｅｖｏｌｕｔｉｏｎ）システムが、ユーザの増大するニーズを充足するためＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）のパフォーマンスのさらなる向上のため、ＵＭＴＳの後継として３ＧＰＰにより開発された。ＬＴＥシステムは、高いデータレート、低い遅延、パケット最適化及びシステムキャパシティ及びカバレッジの向上を提供する新規な無線インタフェース及び無線ネットワークアーキテクチャを含む。ＬＴＥシステムでは、Ｅ−ＵＴＲＡＮ（Ｅｖｏｌｖｅｄ  ＵＴＲＡＮ）として知られる無線アクセスネットワークは、複数のユーザ装置（ＵＥ）と通信するための複数のｅＮＢ（ｅｖｏｌｖｅｄ  ＮＢ）を有し、ＮＡＳ（Ｎｏｎ  Ａｃｃｅｓｓ  Ｓｔｒａｔｕｍ）制御のためのＭＭＥ（Ｍｏｂｉｌｉｔｙ  Ｍａｎａｇｅｍｅｎｔ  Ｅｎｔｉｔｙ）やサービングゲートウェイなどを含むコアネットワークと通信する。ＵＭＴＳシステムでは、ＳＧＳＮ（Ｓｅｒｖｉｎｇ  ＧＰＲＳ  Ｓｕｐｐｏｒｔ  Ｎｏｄｅ）が、パケットルーティング及び転送、モビリティ管理（アタッチ／デタッチ及び位置管理）、論理リンク管理並びに認証及び課金機能を含む、それの地理的サービスエリア内で移動装置とデータパケットをやりとりするためのものである。ＭＭＥはまた、ＳＧＳＮからＭＭＥにおいて終端するＳ３インタフェースによって、ＬＴＥと２Ｇ／３Ｇアクセスネットワークとの間のモビリティのための制御プレーン機能を提供する。
【０００３】
アクセスポイントネーム（ＡＰＮ）は、パケットデータ接続を確立するため、ＬＴＥシステム及びＬＴＥ−Ａシステムにおいて利用され、ＭＭＥにより管理される。さらに、ＡＰＮは、パケットデータネットワーク（ＰＤＮ）又はサービスタイプ（ＭＭＳ（Ｍｕｌｔｉｍｅｄｉａ  Ｍｅｓｓａｇｉｎｇ  Ｓｅｒｖｉｃｅ）など）を特定するのに利用され、ＰＤＮ又はサービスタイプはパケットデータ接続により搬送される。
【０００４】
コアネットワークは、モバイル到達可能タイマー（ｍｏｂｉｌｅ  ｒｅａｃｈａｂｌｅ  ｔｉｍｅｒ）、ＰＰＦ（Ｐａｇｉｎｇ  Ｐｒｏｃｅｅｄ  Ｆａｃｔｏｒ）及びインプリシットデタッチタイマー（ｉｍｐｌｉｃｉｔ  ｄｅｔａｃｈ  ｔｉｍｅｒ）を利用することによって、モバイル到達可能性を管理する。コアネットワークは、モバイル到達可能タイマーを用いてＵＥの定期的なトラッキング／ルーティング／ロケーションエリア更新処理を監視する。デフォルトでは、モバイル到達可能タイマーは、定期的なＴＡＵ／ＲＡＵ／ＬＡＵタイマーよりやや長く設定される。モバイル到達可能タイマーの期限が切れると、ネットワークは、ＰＰＦフラグをクリアし、インプリシットデタッチタイマーをスタートする。インプリシットデタッチタイマーの値は、ネットワークに依存する。ＰＰＦのクリアによって、コアネットワークは、インプリシットデタッチタイマーの期間中にＵＥをページングすることはできない。インプリシットデタッチタイマーがＵＥがネットワークにコンタクトする前に期限切れになった場合、ネットワークは、ＵＥを非明示的にデタッチする。インプリシットデタッチタイマーは、ＮＡＳシグナリング接続がＵＥについて確立されると停止される。
【０００５】
ＮＡＳレベル輻輳制御は、“ＡＰＮベース輻輳制御（ＡＰＮ  ｂａｓｅｄ  ｃｏｎｇｅｓｔｉｏｎ  ｃｏｎｔｒｏｌ）”及び“一般ＮＡＳレベルモビリティ管理制御（Ｇｅｎｅｒａｌ  ＮＡＳ  ｌｅｖｅｌ  Ｍｏｂｉｌｉｔｙ  Ｍａｎａｇｅｍｅｎｔ  ｃｏｎｔｒｏｌ）”の機能を含む。ＡＰＮベース輻輳制御の利用は、あるＡＰＮを有するＵＥに関連するＥＭＭ及びＥＳＭシグナリング輻輳を回避及び処理するためである。一般ＮＡＳレベルモビリティ管理制御によると、ＭＭＥはまた、一般的な輻輳条件の下でＮＡＳレベルモビリティ管理シグナリングの拒絶を利用するようにしてもよい。
【０００６】
ＮＡＳレベルモビリティ管理輻輳制御がネットワークのオーバロード又は輻輳のため適用されると、ＭＭＥは、アタッチリクエスト、トラッキングエリアアップデート（ＴＡＵ）、ルーティングエリアアップデート（ＲＡＵ）又はサービスリクエストを拒絶し、ＭＭＥは、モビリティ管理バックオフタイマーによりＵＥにリプライする。
【０００７】
輻輳制御がアクティブであるとき、ＭＭＥ／ＳＧＳＮは、モビリティ管理バックオフタイマーとセッション管理バックオフタイマーとを格納する。その後、ＭＭＥ／ＳＧＳＮは、格納されたバックオフ時間が期限切れになる前に、ＡＰＮに接続することを目的とするＵＥからの以降のリクエストを即座に拒絶することによって、格納されているバックオフ時間を実施する。
【０００８】
しかしながら、モビリティ管理バックオフタイマー又はセッション管理バックオフタイマーが実行中であるときでさえ、ＵＥは、優先度の高いサービス又はエマージェンシサービスのため、ＡＰＮとのモビリティ管理処理又はセッション管理処理を開始することが許可される。この状況において、ＡＰＮが依然として輻輳中であり、優先度の高いサービス又はエマージェンシサービスを提供するためのリソースを有しないため、ＭＭＥは、優先度の高いサービス又はエマージェンシサービスを拒絶し、優先度の高いサービス又はエマージェンシサービスにアクセスするための遅延が生じる。従って、優先度の高いサービス又はエマージェンシサービスの遅延による被害が発生する可能性がある。
【０００９】
ＭＭＥ／ＳＧＳＮがＮＡＳレベル輻輳制御を実行すると、ＭＭＥ／ＳＧＳＮは、モビリティ管理バックオフ時間とセッション管理バックオフ時間とを格納する。その後、ＭＭＥ／ＳＧＳＮは、ＵＥからの以降のＭＭ／ＳＭリクエストを即座に拒絶し、ＭＭ／ＳＭバックオフタイマーを割り当てることによって、格納されているバックオフ時間を実施する。しかしながら、ＭＭＥ／ＳＧＳＮは、割り当てられたＭＭ／ＳＭバックオフタイマーをＵＥ単位でＥＭＭ／ＥＳＭ（ＥＰＳ  Ｍｏｂｉｌｉｔｙ  Ｍａｎａｇｅｍｅｎｔ，ＥＭＭ／ＥＰＳ  Ｓｅｓｓｉｏｎ  Ｍａｎａｇｅｍｅｎｔ，ＥＳＭ）コンテクストに格納しない。
【００１０】
通常アタッチしたＵＥについて、それは、トラッキングエリアアップデート拒絶又はサービス拒絶のためＭＭバックオフタイマーによる拒絶を取得する。ＵＥは、ＭＭバックオフタイマーが実行中であるとき、通常アタッチするが（ＥＭＭ登録状態）、ＥＣＭ−ＩＤＬＥモードに入る。ＭＭバックオフタイマーが実行中であるとき、バックオフしたＵＥは、エマージェンシＡＰＮへのリクエストタイプのエマージェンシによるＰＤＮ接続リクエストによってエマージェンシコールを行うことが依然として許可される。
【００１１】
ＮＡＳシグナリング接続がエマージェンシＰＤＮ接続リクエストのため確立され、ＵＥがＥＣＭ−ＩＤＬＥモードからＥＣＭ−Ｃｏｎｎｅｃｔｅｄモードに戻るとき、ネットワークは、モバイル到達可能タイマーを停止する。
【００１２】
ＵＥがエマージェンシＰＤＮ接続を切断し、ＮＡＳシグナリング接続が解放された後、モバイル到達可能タイマーは、それの初期値にリセットされ、スタートされる。ＭＭバックオフタイマーがまだ期限が切れておらず、ＭＭバックオフタイマーの残りの時間が定期的なＴＡＵタイマーより長いときに問題が発生する。ネットワークがモバイル到達可能タイマーをそれの初期値にリセットする場合、モバイル到達可能タイマーは、ＵＥ上のＭＭバックオフタイマーの残りの時間を反映することはできない。従って、ネットワークは、ＵＥの動作のトラックを失う可能性がある。
【００１３】
さらに、１つの非エマージェンシＰＤＮ接続と１つのエマージェンシＰＤＮ接続とを有する通常アタッチしたＵＥについて、それは、非エマージェンシＰＤＮ接続からのトラッキングエリアアップデート拒絶又はサービス拒絶のため、ＭＭバックオフタイマーによる拒絶を取得する。
【００１４】
ＵＥがエマージェンシＰＤＮ接続を切断し、ＮＡＳシグナリング接続が解放された後、モバイル到達可能タイマーがそれの初期値にリセットされ、スタートされる。ＭＭバックオフタイマーがまだ期限切れでなく、ＭＭバックオフタイマーの残りの時間が定期的なＴＡＵタイマーより長いとき、問題が発生する。ネットワークがモバイル到達可能タイマーをそれの初期値にリセットする場合、モバイル到達可能タイマーは、ＵＥ上のＭＭバックオフタイマーの残りの時間を反映することができない。従って、ネットワークは、ＵＥの動作のトラックを失う可能性がある。
【先行技術文献】
【非特許文献】
【００１５】
【非特許文献１】３ＧＰＰ  ＴＳ  ２３．４０１  Ｖ１０．１．０（２０１０−０９）
【非特許文献２】３ＧＰＰ  ＴＳ  ２４．３０１  Ｖ１０．０．０（２０１０−０９）
【非特許文献３】３ＧＰＰ  ＴＳ  ２４．００８  Ｖ１０．０．０
【非特許文献４】３ＧＰＰ  ＴＳＧ−ＣＴ  ＷＧ１  Ｍｅｅｔｉｎｇ＃６７，Ｃ１−１−４４３１
【非特許文献５】３ＧＰＰ  ＴＳＧ−ＳＡ  ＷＧ２  Ｍｅｅｔｉｎｇ＃８３，Ｓ２−１１１２５３
【非特許文献６】３ＧＰＰ  ＴＳＧ−ＣＴ  ＷＧ２  Ｍｅｅｔｉｎｇ＃８３，Ｓ２−１１１２−４
【非特許文献７】３ＧＰＰ  ＴＳＧ−ＣＴ  ＷＧ１  Ｍｅｅｔｉｎｇ＃７０，Ｃ１−１１１５２２
【非特許文献８】３ＧＰＰ  ＴＳＧ−ＣＴ  ＷＧ１  Ｍｅｅｔｉｎｇ＃７０，Ｃ１−１１１１６４
【非特許文献９】３ＧＰＰ  ＴＳＧ−ＣＴ  ＷＧ１  Ｍｅｅｔｉｎｇ＃７０，Ｃ１−１１０７８９
【非特許文献１０】３ＧＰＰ  ＴＳＧ−ＣＴ  ＷＧ１  Ｍｅｅｔｉｎｇ＃７０，Ｃ１−１１０７８８
【非特許文献１１】３ＧＰＰ  ＴＳＧ−ＣＴ  ＷＧ１  Ｍｅｅｔｉｎｇ＃６９，Ｃ１−１１−７４５
【非特許文献１２】３ＧＰＰ  ＴＳＧ−ＣＴ  ＷＧ１  Ｍｅｅｔｉｎｇ＃６９，Ｃ１−１１０７４４
【発明の概要】
【発明が解決しようとする課題】
【００１６】
無線通信システムのコアネットワークについてバックオフタイマーが実行されているとき、エマージェンシＰＤＮ接続を処理する方法が提供される。
【課題を解決するための手段】
【００１７】
無線通信システムのコアネットワークについてバックオフタイマーが実行されているとき、エマージェンシＰＤＮ接続を処理する方法が開示される。本方法は、モバイル装置がアイドルモードに入ると、第１タイマー値を有するモバイル到達可能タイマーをスタートするステップと、前記エマージェンシＰＤＮ接続を受け付けるステップと、前記モバイル装置が前記エマージェンシＰＤＮ接続を確立するため接続モードに入ると、前記モバイル到達可能タイマーを停止するステップと、前記バックオフタイマーの残り時間が定期的エリア更新タイマーより長いとき、前記モバイル到達可能タイマーを第２タイマー値にリセットするステップと、前記エマージェンシＰＤＮ接続が切断され、前記モバイル到達可能タイマーの残り時間が定期的エリア更新タイマーより長いとき、前記第２タイマー値に従って前記モバイル到達可能タイマーをリセットするステップとを有する。
【００１８】
無線通信システムのコアネットワークについてバックオフタイマーが実行されているとき、エマージェンシＰＤＮ接続を処理する方法が開示される。本方法は、モバイル装置がアイドルモードに入ると、モバイル到達可能タイマーをスタートするステップと、前記エマージェンシＰＤＮ接続を受け付けるステップと、前記モバイル装置が前記エマージェンシＰＤＮ接続を確立するため接続モードに入ると、前記モバイル到達可能タイマー又はインプリシットデタッチタイマーを停止しないステップと、前記エマージェンシＰＤＮ接続が存在する場合、前記モバイル装置をローカルに切断しないステップとを有する。
【００１９】
無線通信システムのコアネットワークについてバックオフタイマーが実行されているとき、エマージェンシＰＤＮ接続を処理する方法が開示される。本方法は、モバイル装置がアイドルモードに入ると、モバイル到達可能タイマーをスタートするステップと、前記エマージェンシＰＤＮ接続を受け付けるステップと、前記モバイル装置が前記エマージェンシＰＤＮ接続を確立するため接続モードに入ると、前記モバイル到達可能タイマーを停止するステップと、前記モバイル到達可能タイマーと定期的エリア更新タイマーとに従って前記モバイル到達可能タイマーをリセットするか判断するステップとを有する。
【００２０】
無線通信システムのモバイル装置についてバックオフタイマーが実行されているとき、エマージェンシＰＤＮ接続を処理する方法が開示される。本方法は、前記ＭＭバックオフタイマーが実行されているとき、前記エマージェンシＰＤＮ接続を切断するステップと、前記モバイル装置が前記エマージェンシＰＤＮ接続を切断するときに前記バックオフタイマーの残り時間が定期的エリア更新タイマーより大きい場合、ＰＤＮ切断リクエストメッセージ又は非アクティブ化ベアラ受付メッセージにより前記バックオフタイマーの残り時間を送信するステップとを有する。
【００２１】
無線通信システムのコアネットワークについてバックオフタイマーが実行されているとき、エマージェンシＰＤＮ接続を処理する方法が開示される。本方法は、定期的エリア更新タイマーとインプリシットデタッチタイマーとの合計に従って、モバイル到達可能タイマーと前記インプリシットデタッチタイマーとの少なくとも１つを設定するステップと、前記エマージェンシＰＤＮ接続が切断されると、前記モバイル到達可能タイマーと前記インプリシットデタッチタイマーとの少なくとも１つをスタートするステップとを有する。
【発明の効果】
【００２２】
無線通信システムのコアネットワークについてバックオフタイマーが実行されているとき、エマージェンシＰＤＮ接続を処理する方法を提供することができる。
【００２３】
本発明の上記及び他の課題は、各種図面に示される好適な実施例の以下の詳細な説明を参照した後に当業者に明らかになるであろう。
【図面の簡単な説明】
【００２４】
【図１】図１は、一例となる無線通信システムの概略図である。
【図２】図２は、一例となる通信装置の概略図である。
【図３】図３は、一例となる処理のフローチャートである。
【図４】図４は、一例となる処理のフローチャートである。
【図５】図５は、一例となる処理のフローチャートである。
【図５Ｂ】図５Ｂは、一例となる処理のフローチャートである。
【図６】図６は、一例となる処理のフローチャートである。
【図７】図７は、一例となる処理のフローチャートである。
【図８】図８は、一例となる処理のフローチャートである。
【図９】図９は、一例となる処理のフローチャートである。
【発明を実施するための形態】
【００２５】
本発明の実施例による無線通信システムのブロック図を示す図１を参照されたい。無線通信システム１００では、ユーザ装置（ＵＥ）１１０は、無線サービスを取得するためサービスネットワーク１２０に無線接続される。サービスネットワーク１２０は、アクセスネットワーク（又は無線アクセスネットワークと呼ぶ）１２１とコアネットワーク１２２とを有する。サービスネットワーク１２０は、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）又はＥＰＳ（Ｅｖｏｌｖｅｄ  Ｐａｃｋｅｔ  Ｓｙｓｔｅｍ（ＥＰＳ）技術に準拠したネットワークであってもよい。アクセスネットワーク１２１は、ＧＳＭ（登録商標）技術におけるＧＥＲＡＮ（ＧＳＭ（登録商標）  Ｅｄｇｅ  Ｒａｄｉｏ  Ａｃｃｅｓｓ  Ｎｅｔｗｏｒｋ）、ＷＣＤＭＡ／ＨＳＰＡ技術におけるＵＴＲＡＮ（ＵＭＴＳ  Ｔｅｒｅｓｔｒｉａｌ  Ｒａｄｉｏ  Ａｃｃｅｓｓ  Ｎｅｔｗｏｒｋ）、又はＬＴＥ／ＬＴＥ−Ａｄｖａｎｃｅｄ技術におけるＥ−ＵＴＲＡＮ（Ｅｖｏｌｖｅｄ−ＵＴＲＡＮ）であってもよく、コアネットワーク１２２は、ＧＳＭ（登録商標）／ＵＭＴＳシステムにおけるＧＳＭ（登録商標）コア、ＧＰＲＳ（Ｇｅｎｅｒａｌ  Ｐａｃｋｅｔ  Ｒａｄｉｏ  Ｓｅｒｖｉｃｅ）コア又はＥＰＳシステムにおけるＥＰＣ（Ｅｖｏｌｖｅｄ  Ｐａｃｋｅｔ  Ｃｏｒｅ）であってもよい。
【００２６】
図１において、アクセスネットワーク１２１とＵＥ１１０とは、無線通信システム１００の構成を示すため単に用いられる。特に、ＬＴＥシステムのアクセスネットワークは、複数のｅＮＢ（Ｅｖｏｌｖｅｄ  Ｎｏｄｅ−Ｂ）を含むＥ−ＵＴＲＡＮ（Ｅｖｏｌｖｅｄ−ＵＴＲＡ）などの複数の基地局を有する。ＥＰＳでは、コアネットワークは、モビリティ管理エンティティ（ＭＭＥ）を含む。ＭＭＥは、パケットルーティング及び転送、モビリティ管理（アタッチ／デタッチ及びトラッキングエリア管理）、セッション管理（ＰＤＮ接続確立／切断）、論理リンク管理、並びに認証及び課金機能を含む、それの地理的サービスエリア内でデータパケットをモバイル装置とやりとりするためのものである。ＭＭＥはまた、他のＲＡＴ（ＧＳＭ（登録商標）やＵＭＴＳなど）と相互作用するためのローカルモビリティアンカーとして機能しうる。ＵＭＴＳシステムのアクセスネットワークは、複数のノードＢ（ＮＢ）を含む、ＵＴＲＡＮなどの複数の基地局を有する。ＵＭＴＳでは、コアネットワークは、それの地理的サービスエリア内でデータパケットをモバイル装置とやりとりするためのＳＧＳＮ（Ｓｅｒｖｉｎｇ  ＧＰＲＳ  Ｓｕｐｐｏｒｔ  Ｎｏｄｅ）を含み、パケットルーティング及び転送、モビリティ管理（アタッチ／デタッチ及びトラッキングエリア管理）、セッション管理（ＰＤＰコンテクスト確立／切断）、論理リンク管理、並びに認証及び課金機能を含む。ＧＳＭ（登録商標）システムのアクセスネットワークは、複数の基地局（ＢＳＳ）を含む、ＧＥＲＡＮなどの複数の基地局を有する。ＧＳＭ（登録商標）では、コアネットワークは、モビリティ管理（アタッチ／デタッチ及び位置エリア管理）、論理リンク管理、並びに認証及び課金機能を含む、それの地理的サービスエリア内で回線交換方式により音声をモバイル装置とやりとりするためのモバイルスイッチングセンター（ＭＳＣ）を有する。ＵＥは、携帯電話、コンピュータシステムなどの装置とすることができる。さらに、アクセスネットワーク１２１とＵＥ１１０とは、伝送方向に従って送信機又は受信機としてみることができ、例えば、アップリンクでは、ＵＥ１１０は送信機であり、ネットワーク１２１は受信機であり、ダウンリンクでは、ネットワーク１２１は送信機であり、ＵＥは受信機である。
【００２７】
以下の実施例では、サービスネットワーク１２０は、特定のＰＬＭＮに属するＧＳＭ（登録商標）／ＵＭＴＳ／ＥＰＳネットワークであってもよく、ＵＥ１１０は、移動局（ＭＳ）であってもよい。ＵＭＴＳ／ＥＰＳネットワークは、３ＧＰＰ  ＴＳ  ２３．０６０／ＴＳ  ２３．４０１規格、３ＧＰＰ  ＴＳ  ２４．００８／ＴＳ  ２４．３０１規格、及び／又は他の関連するＵＭＴＳ／ＥＰＳ規格に準拠する。利用される技術に基づき、モビリティ管理（ＭＭ）処理のメッセージはそれぞれ、位置エリア更新用のＭＭメッセージ、ルーティングエリア更新用のＧＭＭメッセージ、トラッキングエリア更新用のＥＰＳモビリティ管理（ＥＭＭ）メッセージなどのＧＳＭ（登録商標）／ＵＭＴＳ／ＥＰＳ技術に対応してもよい。さらに、ＴＡＵ／ＲＡＵ処理は、ＵＥ１１０がパケット交換領域と回線交換（ＣＳ）領域とのそれぞれについてＴＡ／ＲＡ及びＬＡ更新を実行することを所望することをＴＡＵ／ＲＡＵ  ＲＥＱＵＥＳＴメッセージが示す合成されたＴＡ／ＬＡ又は合成されたＲＡ／ＬＡ処理であってもよい。
【００２８】
ＵＥ１１０がＴＡＵやＲＡＵリクエストだけでなく、サービスリクエストと位置エリア更新リクエストによってもまた拒絶されるとき、本発明はＵＥ１１０及びコアネットワーク１２２に適用可能であることに留意されたい。このような変形はまた本発明の範囲に含まれる。ＴＡＵリクエストはＥＰＳシステムに対応する。ＲＡＵリクエストはＧＳＭ（登録商標）／ＧＰＲＳシステムのパケット交換領域に対応する。位置エリア更新はＧＳＭ（登録商標）／ＧＰＲＳシステムの回線交換領域に対応する。
【００２９】
一例となる通信装置２０の概略図である図２を参照されたい。通信装置２０は、図１に示されるＵＥ又はコアネットワーク１２２とすることが可能であるが、ここでは限定されない。通信装置２０は、マイクロプロセッサやＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのプロセッサ２００、記憶部２１０及び通信インタフェース部２２０を有してもよい。記憶部２１０は、プロセッサ２００によりアクセスされるプログラムコード２１４を格納可能な何れかのデータ記憶装置であってもよい。記憶部２１０の具体例として、限定することなく、ＳＩＭ（Ｓｕｂｓｃｒｉｂｅｒ  Ｉｄｅｎｔｉｔｙ  Ｍｏｄｕｌｅ）、ＲＯＭ（Ｒｅａｄ−Ｏｎｌｙ  Ｍｅｍｏｒｙ）、フラッシュメモリ、ＲＡＭ（Ｒａｎｄｏｍ−Ａｃｃｅｓｓ  Ｍｅｍｏｒｙ）、ＣＤ−ＲＯＭ／ＤＶＤ−ＲＯＭ、ハードディスク及び光データ記憶装置があげられる。通信インタフェース部２２０は、好ましくは、プロセッサ２００の処理結果に従ってタイマー設定を処理可能な送受信機である。
【００３０】
定期的トラッキング／ルーティングエリア更新（ＴＡＵ／ＲＡＵ）は、ＵＥの利用可能性をネットワークに定期的に通知するのに利用される。当該処理は、定期的なトラッキング／ルーティングエリア更新タイマー（タイマーＴ３４１２／Ｔ３３１２）によりＵＥにおいて制御される。タイマーＴ３４１２／Ｔ３３１２の値は、ＡＴＴＡＣＨ  ＡＣＣＥＰＴメッセージによりコアネットワーク１２２によってＵＥに送信され、ＴＲＡＣＫＩＮＧ／ＲＯＵＴＩＮＧ  ＡＲＥＡ  ＵＰＤＡＴＥ  ＡＣＣＥＰＴメッセージにより送信可能である。ＵＥは、新たな値が受信されるまで、ＵＥに割り当てられたトラッキング／ルーティングエリアのリストのすべてのトラッキング／ルーティングエリアにおいて当該値を適用する。２つの別々のタイマー（タイマーＴ３４１２／Ｔ３３１２）が、ＭＭＥ／ＳＧＳＮ／ＭＳＣに利用可能性を通知し、ＭＭＥ／ＳＧＳＮを独立に更新するため、ＵＥにおいて実行される。ＡＰＮ（Ａｃｃｅｓｓ  Ｐｏｉｎｔ  Ｎｏｄｅ）に基づく輻輳又は一般的なＮＡＳレベルのモビリティ管理の輻輳が生じると、コアネットワーク１２２（ＭＭＥ／ＳＧＳＮなど）は、アタッチリクエスト、トラッキングエリア更新（ＴＡＵ）、ルーティングエリア更新（ＲＡＵ）又はサービスリクエストを拒絶し、ＭＭＥは、モビリティ管理（ＭＭ）バックオフタイマーによりＵＥにリプライする。
【００３１】
通常アタッチしたＵＥ（ＥＭＭ登録状態）は、トラッキングエリア更新の拒絶又はサービスの拒絶のため、ＭＭバックオフタイマーにより拒絶を受ける。ＵＥは、通常アタッチするが、ＭＭバックオフタイマーが実行中であるときＥＣＭ−ＩＤＬＥモードに入る。ＭＭバックオフタイマーの実行中、バックオフＵＥは、ＭＭＥとのリクエストタイプのエマージェンシによるＰＤＮ接続リクエストによって、エマージェンシコールを行うことが依然として可能とされる。
【００３２】
一例となる処理３０のフローチャートである図３を参照されたい。当該処理３０は、無線通信システム１００のコアネットワーク１２２（ＭＭＥ／ＳＧＳＮなど）のエマージェンシＰＤＮ接続を処理するのに利用される。コアネットワーク１２２は、ＵＥからＴＡＵ／ＲＡＵリクエストを受信し、コアネットワーク１２２がＴＡＵ／ＲＡＵリクエストを拒絶すると、ＭＭバックオフタイマーのバックオフタイマー値ＴＢを含むＴＡＵ／ＲＡＵ更新拒絶メッセージを送信する。処理３０は、プログラムコード２１４にコンパイルされてもよく、以下のステップを含む。
【００３３】
ステップ３００：スタート
ステップ３０２：コアネットワーク１２２は、通常アタッチしたＵＥについてＭＭバックオフタイマーのバックオフタイマー値ＴＢによりＴＡＵ／ＲＡＵリクエストを拒絶し、コアネットワーク１２２は、モバイル到達可能タイマーをＴＢより大きくなるよう設定する。コアネットワーク１２２は、ＵＥがアイドルモードに入ると、モバイル到達可能タイマーをスタートする。ここで、モバイル到達可能タイマーはタイマー値Ｍ１を有する。  
ステップ３０４：コアネットワーク１２２は、ＭＭバックオフタイマーが実行しているとき、通常アタッチしたＵＥからエマージェンシＰＤＮ接続リクエストを受け付ける。  
ステップ３０６：コアネットワーク１２２は、確立されたエマージェンシＰＤＮ接続のためにＵＥが接続モードに入ると、モバイル到達可能タイマーを停止する。  
ステップ３０８：コアネットワーク１２２は、エマージェンシＰＤＮが切断され、ＵＥがアイドルモードに入ると、モバイル到達可能タイマーの残り時間がＵＥの定期的なトラッキング／ルーティングエリア更新タイマー（例えば、Ｔ３４１２，Ｔ３４１２ｅｘｔ、Ｔ３３１２、Ｔ３３１２ｅｘｔなど）より長い場合、モバイル到達可能タイマーをタイマー値Ｍ２にリセットする。  
ステップ３１０：コアネットワーク１２２は、エマージェンシＰＤＮが切断され、ＵＥがアイドルモードに入ると、タイマー値Ｍ２に従ってモバイル到達可能タイマーを再スタートする。  
ステップ３１２：エンド
処理３０によると、コアネットワーク１２２（ＭＭＥ／ＳＧＳＮなど）は、ＵＥがアイドルモードに入ると、タイマー値Ｍ１によりモバイル到達可能タイマーをスタートする。ＭＭバックオフタイマーが実行しているとき、コアネットワーク１２２は、ＵＥに行われたエマージェンシＰＤＮ接続リクエストを受信する。コアネットワーク１２２は、通常アタッチしたＵＥからエマージェンシＰＤＮ接続に対するリクエストを受け付ける。コアネットワーク１２２は、モバイル到達可能タイマーを停止する。エマージェンシＰＤＮが切断され、ＵＥがアイドルモードに入ると、ＭＭバックオフタイマーの残り時間が定期的なＴＡＵ／ＲＡＵタイマーより長い場合、すなわち、ＭＭバックオフタイマー前に定期的なＴＡＵ／ＲＡＵタイマーの期限が切れる場合、コアネットワーク１２２は、モバイル到達可能タイマーをタイマー値Ｍ２にリセットする。タイマー値Ｍ２は、バックオフタイマーの残り時間より大きい。好ましくは、タイマー値Ｍ２は、バックオフタイマーの残り時間より４分長い。その後、コアネットワーク１２２は、タイマー値Ｍ２によりモバイル到達可能タイマーを再スタートする。例えば、コアネットワーク１２２は、ネットワークがＭＭバックオフタイマーをＵＥに割り当てると、ＵＥ毎にＥＭＭコンテクストにＭＭバックオフタイマーを格納する。この格納された値によって、コアネットワーク１２２は、必要に応じてバックオフタイマーの残り時間を取得できる。
【００３４】
一例となる処理４０のフローチャートである図４を参照されたい。当該処理４０は、無線通信システム１００のコアネットワーク１２２（ＭＭＥ／ＳＧＳＮなど）のエマージェンシＰＤＮ接続を処理するため利用される。コアネットワーク１２２は、ＵＥからＴＡＵ／ＲＡＵリクエストを受信し、コアネットワーク１２２がＴＡＵ／ＲＡＵリクエストを拒絶すると、ＭＭバックオフタイマーのバックオフタイマー値ＴＢを含むＴＡＵ／ＲＡＵ拒絶メッセージを送信する。処理４０は、プログラムコード２１４にコンパイルされてもよく、以下のステップを含む。
【００３５】
ステップ４００：スタート
ステップ４０２：コアネットワーク１２２は、通常アタッチしたＵＥにＭＭバックオフタイマーのバックオフタイマー値ＴＢによりＴＡＵ／ＲＡＵリクエストを拒絶し、コアネットワーク１２２は、モバイル到達可能タイマーをＴＢより大きくなるよう設定する。コアネットワーク１２２は、ＵＥがアイドルモードに入ると、モバイル到達可能タイマーをスタートする。モバイル到達可能タイマーは、タイマー値Ｍ１を有する。  
ステップ４０４：コアネットワーク１２２は、ＭＭバックオフタイマーが実行しているとき、通常アタッチしたＵＥからエマージェンシＰＤＮ接続リクエストを受け付ける。  
ステップ４０６：コアネットワーク１２２は、ＵＥが確立されたエマージェンシＰＤＮ接続のため接続モードに入るとき、モバイル到達可能タイマーを停止しない。  
ステップ４０８：エンド
処理４０によると、コアネットワーク１２２（ＭＭＥ／ＳＧＳＮなど）は、ＵＥがアイドルモードに入ると、タイマー値Ｍ１によりモバイル到達可能タイマーをスタートする。ＭＭバックオフタイマーが実行しているとき、コアネットワーク１２２は、ＵＥにより行われたエマージェンシＰＤＮ接続リクエストを受信する。コアネットワーク１２２は、通常アタッチしたＵＥからエマージェンシＰＤＮ接続に対するリクエストを受け付ける。しかしながら、コアネットワーク１２２は、ＵＥが確立されたエマージェンシＰＤＮ接続により接続モードに入るとき、ＵＥについてモバイル到達可能タイマー又はインプリシットタイマーを停止しない。モバイル到達可能タイマー又はインプリシットデタッチタイマーが期限切れとなり、ＵＥ上にエマージェンシＰＤＮ接続が存在するとき、コアネットワーク１２２はＵＥをデタッチしない。他方、ＵＥは、ＭＭバックオフタイマーが実行しているとき、ローカルにはデタッチしない。
【００３６】
コアネットワーク１２２がＭＭバックオフタイマーをＵＥに割り当てると、コアネットワーク１２２は、ＵＥ単位のＥＭＭコンテクストにおいて、ＵＥのバックオフ状態を示すＭＭバックオフインジケータをアクティブとして設定する。ＭＭバックオフタイマー又はモバイル到達可能タイマーが期限切れになるか、又はＵＥはネットワークにコンタクトすると、ＭＭバックオフインジケータは非アクティブに設定される。バックオフインジケータによって、コアネットワーク１２２は、確立されたエマージェンシＰＤＮ接続によりＵＥが接続モードに入ると、モバイル到達可能タイマー又はインプリシットデタッチタイマーを停止するか否か決定する。
【００３７】
一例となる処理５０のフローチャートである図５を参照されたい。当該処理５０は、無線通信システム１００のコアネットワーク１２２（ＭＭＥ／ＳＧＳＮなど）のエマージェンシＰＤＮ接続を処理するのに利用される。コアネットワーク１２２は、ＵＥからＴＡＵ／ＲＡＵリクエストを受信し、コアネットワーク１２２がＴＡＵ／ＲＡＵリクエストを拒絶すると、ＭＭバックオフタイマーのバックオフタイマー値ＴＢを含むＴＡＵ／ＲＡＵ拒絶メッセージを送信する。処理５０は、プログラムコード２１４にコンパイルされてもよく、以下のステップを含む。
【００３８】
ステップ５００：スタート
ステップ５０２：コアネットワーク１２２は、通常アタッチしたＵＥにＭＭバックオフタイマーのバックオフタイマー値ＴＢによりＴＡＵ／ＲＡＵリクエストを拒絶し、コアネットワーク１２２は、モバイル到達可能タイマーをＴＢより大きくなるよう設定する。コアネットワーク１２２は、ＵＥがアイドルモードに入ると、モバイル到達可能タイマーをスタートする。モバイル到達可能タイマーは、タイマー値Ｍ１を有する。  
ステップ５０４：コアネットワーク１２２は、ＭＭバックオフタイマーが実行しているとき、通常アタッチしたＵＥからエマージェンシＰＤＮ接続リクエストを受け付ける。  
ステップ５０６：コアネットワーク１２２は、確立されたエマージェンシＰＤＮ接続によりＵＥが接続モードに入ると、モバイル到達可能タイマーを停止する。  
ステップ５０８：コアネットワーク１２２は、モバイル到達可能タイマーＭ１と定期的ＴＡＵ／ＲＡＵタイマー（Ｔ３４１２、Ｔ３４１２ｅｘｔ、Ｔ３３１２、Ｔ３３１２ｅｘｔなど）の定期的なＴＡＵ／ＲＡＵタイマー値Ｕとに従って、モバイル到達可能タイマーをリセットするか判断する。  
ステップ５１０：エンド
処理５０によると、コアネットワーク１２２（ＭＭＥ／ＳＧＳＮなど）は、ＵＥがアイドルモードに入ると、タイマー値Ｍ１によりモバイル到達可能タイマーをスタートする。ＭＭバックオフタイマーが実行しているとき、コアネットワーク１２２は、ＵＥにより行われたエマージェンシＰＤＮ接続リクエストを受信する。コアネットワーク１２２は、通常アタッチしたＵＥからエマージェンシＰＤＮ接続に対するリクエストを受け付ける。コアネットワーク１２２は、モバイル到達可能タイマーを停止する。エマージェンシＰＤＮ接続が切断され、ＵＥがアイドルモードに入ると、コアネットワーク１２２は、モバイル到達可能タイマー値Ｍ１と定期的なＴＡＵ／ＲＡＵタイマーの定期的なＴＡＵ／ＲＡＵタイマー値Ｕとに従ってモバイル到達可能タイマーをリセットするか判断する。
【００３９】
例えば、コアネットワーク１２２は、モバイル到達可能タイマーの残り時間Ｔ１を有し、エマージェンシＰＤＮ接続により生じる経過時間をＴと表す。エマージェンシＰＤＮ接続が切断され、ＵＥがアイドルモードに入ると、コアネットワーク１２２は、（（Ｔ１−４）−Ｔ）＞０かつ（（Ｔ１−４）−Ｔ）＞Ｕである場合、すなわち、ＭＭバックオフタイマーの残り時間が定期的なＴＡＵ／ＲＡＵタイマー値より大きい場合、モバイル到達可能タイマーを設定する。その後、コアネットワーク１２２は、（Ｔ１−Ｔ）の値によりモバイル到達可能タイマーをスタートする。（Ｔ１−４）＝Ｔ又は（Ｔ１−４）＜Ｔである場合、コアネットワーク１２２は、定期的なＴＡＵ／ＲＡＵタイマーの初期値によりモバイル到達可能タイマーをスタートする。本例では、コアネットワーク１２２は、それがＮＡＳ拒絶メッセージによりバックオフタイマーをＵＥに割り当てるときに設定されるバックオフ状態インジケータに基づき、Ｔ１及びＴを処理する必要がある。
【００４０】
一例となる処理５０Ｂのフローチャートである図５Ｂを参照されたい。当該処理５０Ｂは、無線通信システム１００ｎＵＥのエマージェンシＰＤＮ接続を処理するのに利用される。コアネットワーク１２２は、ＵＥからＴＡＵ／ＲＡＵリクエストを受信し、コアネットワーク１２２がＴＡＵ／ＲＡＵリクエストを拒絶すると、ＭＭバックオフタイマーのバックオフタイマー値ＴＢを含むＴＡＵ／ＲＡＵ拒絶メッセージを送信する。処理５０Ｂは、プログラムコード２１４にコンパイルされてもよく、以下のステップを含む。
【００４１】
ステップ５００Ｂ：スタート
ステップ５０２Ｂ：ＵＥは、コアネットワーク１２２からＭＭバックオフタイマーを受信する。  
ステップ５０４Ｂ：ＵＥは、ＭＭバックオフタイマーが実行しているとき、エマージェンシＰＤＮ接続を切断する。  
ステップ５０６Ｂ：ＵＥは、ＭＭバックオフタイマーの残り時間が定期的なＴＡＵ／ＲＡＵタイマーより大きい場合、実行中のＭＭバックオフタイマーを有するＵＥがエマージェンシＰＤＮ接続を切断すると、ＰＤＮ切断リクエストメッセージ又は非アクティブ化ベアラ受付メッセージにより、ＭＭバックオフタイマーの残り時間を送信する。  
ステップ５０８Ｂ：エンド
処理５０Ｂによると、実行中のＭＭバックオフタイマーを有するＵＥがエマージェンシＰＤＮ接続を切断すると、ＭＭバックオフタイマーの残り時間が定期的なＴＡＵ／ＲＡＵタイマーより大きい場合、ＵＥは、ＰＤＮ切断リクエストメッセージ又は非アクティブ化ベアラコンテクスト受付メッセージにより、ＭＭバックオフタイマーｔの残り時間を送信する。この結果、ネットワークは、ＭＭバックオフタイマーの受信した残り時間よりやや大きい新たな値にモバイル到達可能タイマーをリセットする。
【００４２】
一例となる処理６０のフローチャートである図６を参照されたい。当該処理６０は、無線通信システム１００のコアネットワーク１２２（ＭＭＥ／ＳＧＳＮなど）のエマージェンシＰＤＮ接続を処理するのに利用される。コアネットワーク１２２は、ＵＥからＴＡＵ／ＲＡＵリクエストを受信し、コアネットワーク１２２がＴＡＵ／ＲＡＵリクエストを拒絶すると、ＭＭバックオフタイマーのバックオフタイマー値ＴＢを含むＴＡＵ／ＲＡＵ更新拒絶メッセージを送信する。処理６０は、プログラムコード２１４にコンパイルされてもよく、以下のステップを含む。
【００４３】
ステップ６００：スタート
ステップ６０２：コアネットワーク１２２は、通常アタッチしたＵＥにＭＭバックオフタイマーのバックオフタイマー値ＴＢによりＴＡＵ／ＲＡＵリクエストを拒絶する。  
ステップ６０４：コアネットワーク１２２は、ＭＭバックオフタイマーが実行しているとき、通常アタッチしたＵＥからエマージェンシＰＤＮ接続リクエストを受け付ける。  
ステップ６０６：コアネットワーク１２２は、ＭＭバックオフタイマーの残り時間が定期的なＴＡＵ／ＲＡＵタイマー値とインプリシットデタッチタイマー値Ｎ１との合計より大きい場合、ＵＥのＮＡＳシグナリング接続がエマージェンシＰＤＮ切断の成功後にリリースされると、モバイル到達可能タイマーをタイマー値Ｍ３に設定し、インプリシットデタッチタイマーをタイマー値Ｎ２に設定する。コアネットワーク１２２は、タイマー値Ｍ３及び／又はタイマー値Ｎ２の合計がバックオフタイマーの残り時間より大きくなるように、Ｍ３及び／又はＮ２を設定する。  
ステップ６０８：コアネットワーク１２２は、エマージェンシＰＤＮ接続が切断されると、タイマー値Ｍ３及びＮ２に従ってモバイル到達可能タイマー及び／又はインプリシットデタッチタイマーをスタートする。  
ステップ６１０：エンド
処理６０によると、コアネットワーク１２２（ＭＭＥ／ＳＧＳＮなど）は、ＵＥがアイドルモードに入ると、タイマー値Ｍ１によりモバイル到達可能タイマーをスタートする。ＭＭバックオフタイマーが実行しているとき、コアネットワーク１２２は、ＵＥにより行われたエマージェンシＰＤＮ接続リクエストを受信する。コアネットワーク１２２は、通常アタッチしたＵＥからエマージェンシＰＤＮ接続に対するリクエストを受け付ける。コアネットワーク１２２は、モバイル到達可能タイマー又はインプリシットデタッチタイマーを停止する。エマージェンシＰＤＮが切断され、ＵＥがアイドルモードに入ると、ＭＭバックオフタイマーの残り時間は、定期的なＴＡＵ／ＲＡＵタイマー値Ｕとインプリシットデタッチタイマー値Ｎ１との合計より大きい。タイマー値Ｍ３及び／又はタイマー値Ｎ２の合計は、バックオフタイマーの残り時間より大きい。コアネットワーク１２２は、エマージェンシＰＤＮ接続が切断されると、タイマー値Ｍ３及びＮ２に従ってモバイル到達可能タイマー及び／又はインプリシットデタッチタイマーをスタートする。例えば、コアネットワーク１２２は、ＭＭバックオフタイマーをＵＥに割り当てるとき、ＵＥ毎にＥＭＭコンテクストにＭＭバックオフタイマーを格納する。この格納された値によって、コアネットワーク１２２は、必要に応じてバックオフタイマーの残り時間を取得できる。
【００４４】
一例となる処理７０のフローチャートである図７を参照されたい。当該処理７０は、無線通信システム１００のＵＥのエマージェンシＰＤＮ接続を処理するのに利用される。コアネットワーク１２２は、ＵＥからＴＡＵ／ＲＡＵリクエストを受信し、コアネットワーク１２２がＴＡＵ／ＲＡＵリクエストを拒絶すると、ＭＭバックオフタイマーのバックオフタイマー値ＴＢを含むＴＡＵ／ＲＡＵ拒絶メッセージを送信する。処理７０は、プログラムコード２１４にコンパイルされてもよく、以下のステップを含む。
【００４５】
ステップ７００：スタート
ステップ７０２：ＵＥは、コアネットワーク１２２からＭＭバックオフタイマーを受信する。  
ステップ７０４：ＵＥは、ＭＭバックオフタイマーが実行しているとき、エマージェンシＰＤＮ接続を切断する。  
ステップ７０６：ＵＥは、ＭＭバックオフタイマーの残り時間が定期的なＴＡＵ／ＲＡＵタイマーより大きい場合、実行中のＭＭバックオフタイマーを有するＵＥがエマージェンシＰＤＮ接続を切断すると、エマージェンシＰＤＮ接続のため、ＰＤＮ切断リクエストメッセージ又は非アクティブ化ベアラ受付メッセージによりＭＭバックオフタイマーの残り時間を送信する。  
ステップ７０８：エンド
処理７０によると、実行中のＭＭバックオフタイマーを有するＵＥがエマージェンシＰＤＮ接続を切断すると、ＭＭバックオフタイマーの残り時間が定期的なＴＡＵ／ＲＡＵタイマーより大きい場合、ＵＥは、ＰＤＮ切断リクエストメッセージ又は非アクティブ化ベアラコンテクスト受付メッセージによりＭＭバックオフタイマーｔの残り時間を送信する。この結果、ＭＭバックオフタイマーの残り時間が定期的なＴＡＵ／ＲＡＵタイマーとインプリシットデタッチタイマーとの合計より大きい場合、ネットワークは、モバイル到達可能タイマーとインプリシットデタッチタイマーとの合計がＭＭバックオフタイマーの残り時間よりやや大きくなるように、モバイル到達可能タイマー及び／又はインプリシットデタッチタイマーを新たな値にリセットする。
【００４６】
一例となる処理８０のフローチャートである図８を参照されたい。当該処理８０は、無線通信システム１００のコアネットワーク１２２（ＭＭＥ／ＳＧＳＮなど）のエマージェンシＰＤＮ接続を処理するのに利用される。コアネットワーク１２２は、ＵＥからＴＡＵ／ＲＡＵリクエストを受信し、コアネットワーク１２２がＴＡＵ／ＲＡＵリクエストを拒絶すると、ＭＭバックオフタイマーのバックオフタイマー値を含むＴＡＵ／ＲＡＵ拒絶メッセージを送信する。処理５０は、プログラムコード２１４にコンパイルされてもよく、以下のステップを含む。
【００４７】
ステップ８００：スタート
ステップ８０２：コアネットワーク１２２は、通常アタッチしたＵＥにＭＭバックオフタイマーのバックオフタイマー値ＴＢによりＴＡＵ／ＲＡＵリクエストを拒絶する。  
ステップ８０４：コアネットワーク１２２は、ＭＭバックオフタイマーが実行しているとき、通常アタッチしたＵＥからエマージェンシＰＤＮ接続リクエストを受け付ける。  
ステップ８０６：コアネットワーク１２２は、確立されたエマージェンシＰＤＮ接続によりＵＥが接続モードに入ると、モバイル到達可能タイマー又はインプリシットデタッチタイマーを停止する。  
ステップ８０８：コアネットワーク１２２は、ＭＭバックオフタイマーの残り時間、インプリシットデタッチタイマーのインプリシットデタッチタイマー値Ｎ１、及び定期的なトラッキング／ルーティングエリア更新タイマー（Ｔ３４１２、Ｔ３４１２ｅｘｔ、Ｔ３３１２、Ｔ３３１２ｅｘｔなど）の定期的なＴＡＵ／ＲＡＵタイマー値Ｕに従って、モバイル到達可能タイマー又はインプリシットデタッチタイマーをリセットするか判断する。  
ステップ８１０：エンド
処理８０によると、コアネットワーク１２２（ＭＭＥ／ＳＧＳＮなど）は、ＵＥがアイドルモードに入ると、タイマー値Ｍ１によりモバイル到達可能タイマーをスタートする。ＭＭバックオフタイマーが実行しているとき、コアネットワーク１２２は、ＵＥにより行われたエマージェンシＰＤＮ接続リクエストを受信する。コアネットワーク１２２は、通常アタッチしたＵＥからエマージェンシＰＤＮ接続に対するリクエストを受信する。コアネットワーク１２２は、モバイル到達可能タイマー又はインプリシットデタッチタイマーを停止する。エマージェンシＰＤＮ接続が切断され、ＵＥがアイドルモードに入ると、コアネットワーク１２２は、定期的なトラッキング／ルーティングエリア更新タイマーの定期的なＴＡＵ／ＲＡＵタイマー値Ｕと、インプリシットデタッチタイマーのインプリシットデタッチタイマー値Ｎ１とに従って、モバイル到達可能タイマーをリセットするか判断する。
【００４８】
例えば、モバイル到達可能タイマーとインプリシットデタッチタイマーとの合計の残り時間はＴ２として表され、エマージェンシＰＤＮ接続により生じる経過時間は依然としてＴとして表される。コアネットワーク１２２は、モバイル到達可能タイマーとインプリシットデタッチタイマーとの合計が（Ｔ２−Ｔ）の値より大きくなるように、（Ｔ２−Ｔ）＞（定期的なエリア更新タイマー値Ｕ＋インプリシットデタッチタイマー値Ｎ１）であるとき、モバイル到達可能タイマーとインプリシットデタッチタイマーとの双方をリセットする。本例では、コアネットワーク１２２は、それがＮＡＳ拒絶メッセージによりバックオフタイマーをＵＥに割り当てるときに設定されるバックオフ状態インジケータに基づき、Ｔ２及びＴを処理する必要がある。
【００４９】
通常アタッチしたＵＥ（ＥＭＭ登録状態）は、１つの非エマージェンシＰＤＮ接続と１つのエマージェンシＰＤＮ接続とを有してもよい。通常アタッチしたＵＥが１つの非エマージェンシＰＤＮ接続と１つのエマージェンシＰＤＮ接続とを有するとき、通常アタッチしたＵＥは、非エマージェンシＰＤＮ接続のためのサービス拒絶又はトラッキングエリア更新拒絶により、ＭＭバックオフタイマーにより拒絶を取得する可能性がある。従って、上述した処理８０は以下のように修正可能である。
【００５０】
一例となる処理９０のフローチャートである図９を参照されたい。当該処理９０は、無線通信システム１２２のコアネットワーク１２２（ＭＭＥ／ＳＧＳＮなど）とＵＥとのエマージェンシＰＤＮ接続を処理するのに利用される。ＵＥは、通常アタッチし、１つのエマージェンシＰＤＮ接続と１つの非エマージェンシＰＤＮ接続とを有する。コアネットワーク１２２は、ＵＥからＴＡＵ／ＲＡＵ又はサービスリクエストを受信し、コアネットワーク１２２が非エマージェンシＰＤＮ接続のためのＵＥに対するＴＡＵ／ＲＡＵ又はサービスリクエストを拒絶すると、ＭＭバックオフタイマーのバックオフタイマー値を含むＴＡＵ／ＲＡＵ拒絶メッセージを送信する。処理９０は、プログラムコード２１４にコンパイルされてもよく、以下のステップを含む。
【００５１】
ステップ９００：スタート
ステップ９０２：コアネットワーク１２２は、通常アタッチしたＵＥとのエマージェンシＰＤＮ接続を確立する。  
ステップ９０４：コアネットワーク１２２は、エマージェンシＰＤＮ接続と非エマージェンシＰＤＮ接続とを有する通常アタッチしたＵＥのＭＭバックオフタイマーＴＢのバックオフタイマー値によりＴＡＵ／ＲＡＵリクエストを拒絶する。  
ステップ９０６：コアネットワーク１２２は、モバイル到達可能タイマー値Ｍ１と、インプリシットデタッチタイマーのインプリシットデタッチタイマー値Ｎ１と定期的なトラッキング／ルーティングエリア更新タイマー（Ｔ３４１２、Ｔ３４１２ｅｘｔ、Ｔ３３１２、Ｔ３３１２ｅｘｔなど）のＴＡＵ／ＲＡＵ定期的エリア更新タイマー値Ｕとの合計とに従って、モバイル到達可能タイマーをリセットするか、またどのようにリセットするか決定する。  
ステップ９０８：コアネットワーク１２２は、エマージェンシＰＤＮ切断によりＵＥがアイドルモードに入ると、モバイル到達可能タイマーをスタートする。  
ステップ９１０：エンド
処理８０によると、コアネットワーク１２２は、通常アタッチしたＵＥにより行われたエマージェンシＰＤＮ接続リクエストを受信する。コアネットワーク１２２は当該リクエストを受け付け、ＵＥはエマージェンシＰＤＮ接続と非エマージェンシＰＤＮ接続との双方を有する。コアネットワーク１２２がＮＡＳレベル輻輳制御のため、ＵＥにＭＭバックオフタイマーによるＴＡＵ／ＲＡＵサービスリクエストを拒絶した場合、コアネットワーク１２２は、ＭＭバックオフタイマーの値を格納し、エマージェンシＰＤＮ接続が切断される前に経過時間Ｔを計算する。ＵＥは、ＭＭバックオフタイマーを受信した場合、ＭＭバックオフタイマーをスタートする。エマージェンシＰＤＮ接続が切断され、ＵＥがアイドルモードに入ると、コアネットワーク１２２は、モバイル到達可能タイマー値Ｍ１と、インプリシットデタッチタイマーのインプリシットデタッチタイマー値Ｎ１と定期的トラッキング／ルーティングエリア更新タイマーのＴＡＵ／ＲＡＵ定期的エリア更新タイマー値Ｕとの合計とに従って、モバイル到達可能タイマー又はインプリシットデタッチタイマーをリセットする。
【００５２】
例えば、バックオフタイマー値ＴＢが経過時間Ｔより大きく、（ＴＢ−Ｔ）の値が定期的ＴＡＵ／ＲＡＵタイマー（Ｔ３４１２など）とインプリシットデタッチタイマーとの合計より大きいとき、コアネットワーク１２２は、モバイル到達可能タイマーとインプリシットデタッチタイマーとの合計がＭＭバックオフタイマーの残り時間（ＴＢ−Ｔ）の合計より大きくなるように、モバイル到達可能タイマー及び／又はインプリシットデタッチタイマーをリセットする。具体的には、コアネットワーク１２２は、バックオフタイマー値ＴＢマイナス経過時間Ｔの期間が、定期的ＴＡＵ／ＲＡＵエリア更新タイマー値Ｕプラスインプリシットデタッチタイマーとの合計より大きいとき、モバイル到達可能タイマー及び／又はインプリシットデタッチタイマーをリセット可能である。
【００５３】
さらに、コアネットワーク１２２は、モバイル装置により送信された非アクティブ化ベアラコンテクスト受付メッセージ又はＰＤＮ切断リクエストメッセージにより、バックオフタイマーの残り時間を受信可能である。この結果、コアネットワーク１２２は、モバイル到達可能タイマー及び／又はインプリシットデタッチタイマーをこれに応じてリセットすることができる。
【００５４】
モバイル到達可能性管理に関する処理の上述したステップは、ＧＳＭ（登録商標）ネットワークのＵＥ及びＭＳＣに適用するよう調整可能である。当業者は、本発明の教示を維持しながら、上記調整を実現するため回線交換システムに必要な改良及び変更を容易にできる。
【００５５】
示唆されたステップを含む処理の上述したステップは、ハードウェア、ハードウェア装置とこれに読み出し専用ソフトウェアとして常駐するコンピュータ命令及びデータとの組み合わせとして知られるファームウェア、又は電子システムにより実現可能である。ハードウェアの具体例は、マイクロ回路、マイクロチップ又はシリコンチップとして知られるアナログ、デジタル及び合成された回路を含むことが可能である。電子システムの具体例は、ＳＯＣ（Ｓｙｓｔｅｍ  Ｏｎ  Ｃｈｉｐ）、ＳｉＰ（Ｓｙｓｔｅｍ  ｉｎ  Ｐａｃｋａｇｅ）、ＣＯＭ（Ｃｏｍｐｕｔｅｒ  Ｏｎ  Ｍｏｄｕｌｅ）、及び通信装置２０を含むことが可能である。
【００５６】
概略すると、通常アタッチした（ＥＭＭ登録状態）ＵＥは、トラッキングエリア更新拒絶又はサービス拒絶により、ＭＭバックオフタイマーにより拒絶を取得する。ＭＭバックオフタイマーが実行しているとき、ＵＥはＥＣＭ−ＩＤＬＥモードに入る。ＭＭバックオフタイマーが実行しているとき、ＵＥは、エマージェンシＡＰＮにリクエストタイプのエマージェンシによるＰＤＮ接続リクエストによりエマージェンシコールを行うことが依然として可能とされる。ＮＡＳシグナリング接続がエマージェンシＰＤＮ接続リクエストにより構築され、ＵＥがＥＣＭ−ＩＤＬＥモードからＥＣＭ接続モードに戻ると、コアネットワーク（ＭＭＥ／ＳＧＳＮなど）は、モバイル到達可能タイマーを停止する。コアネットワークは、バックオフタイマーの残り時間が定期的エリア更新タイマーの残り時間より長いとき、モバイル到達可能タイマーを第２タイマー値にリセットする。ＵＥがエマージェンシＰＤＮ接続を切断し、ＮＡＳシグナリング接続がリリースされた後、モバイル到達可能タイマーは、新たなタイマー値にリセットされ、スタートされる。さらに、バックオフＵＥは、ＭＭバックオフタイマーの実行中、エマージェンシＰＤＮ接続を確立する。接続モードにおいて非エマージェンシＰＤＮ接続とエマージェンシＰＤＮ接続と有するバックオフＵＥが新たなトラッキングエリアに移動すると、ハンドオーバ処理前に、バックオフＵＥは、ＴＡリストにない新たなトラッキングエリアに入るとＴＡＵを要求する。バックオフＵＥは、ＴＡＵリクエスト／終了メッセージにおいてバックオフインジケータ／ＭＭバックオフタイマーの残り時間を送信する。対象となるＭＭＥ／ＳＧＳＮは、ＴＡＵリクエスト／終了メッセージに従って、実行中のＭＭバックオフタイマーによりＵＥを処理する方法を決定可能である。
【００５７】
当業者は、本発明の教示を維持しながら、上記装置及び方法の多数の改良及び変更が可能であることを容易に観察するであろう。従って、上記開示は、添付した請求項の範囲によってのみ限定されるものとして解釈されるべきである。
【符号の説明】
【００５８】
１００  無線通信システム
１１０  ユーザ装置（ＵＥ）
１２０  サービスネットワーク
１２１  アクセスネットワーク
１２２  コアネットワーク
【図１】
0005415573.tif 000002
【図２】
0005415573.tif 000003
【図３】
0005415573.tif 000004
【図４】
0005415573.tif 000005
【図５】
0005415573.tif 000006
【図５Ｂ】
0005415573.tif 000007
【図６】
0005415573.tif 000008
【図７】
0005415573.tif 000009
【図８】
0005415573.tif 000010
【図９】
0005415573.tif 000011